(57)【特許請求の範囲】
【請求項１】
円弧状にした成形板と、この成形板に対して相対的に移動可能にした移動体とを備え、これら成形板と移動体との間にまつ毛を挟んでカールするまつ毛カーラーにおいて、鏡に対向させる上記成形板の一方の側面であって、まつ毛の根元に沿わせる際（きわ）の部分に、その際（きわ）に沿うとともに成形板の幅方向に伸びる視認部を表示したまつ毛カーラー。
【請求項２】
上記成形板の上記一方の側面であって、上記視認部と対向する側に、その視認部と間隔を保った回動支点を示す目印を表示した請求項１記載のまつ毛カーラー。
【請求項３】
上記視認部と回動支点を示す上記目印とは、それらを成形板の幅方向全長にわたって平行に表示した請求項２記載のまつ毛カーラー。
【請求項４】
上記視認部と回動支点を示す上記目印とは異なる色で表示した請求項２又は３記載のまつ毛カーラー。
【請求項５】
上記視認部と回動支点を示す上記目印とは異なる形態で表示した請求項２〜４のいずれか１に記載のまつ毛カーラー。
【請求項６】
円弧状にした成形板と、この成形板に対して相対的に移動可能にした移動体とを備え、これら成形板と移動体との間にまつ毛を挟んでカールするまつ毛カーラーに用いるアタッチメントであって、上記成形板の少なくとも鏡に対向する面を覆う覆い体を備え、この覆い体には、上記成形板を覆った状態でまつ毛の根元に沿う際（きわ）に沿うとともに成形板の幅方向に伸びる視認部を表示したまつ毛カーラー用アタッチメント。
【発明の詳細な説明】
【技術分野】
【０００１】
この発明は、まつ毛をカールするためのまつ毛カーラー及びまつ毛カーラー用アタッチメントに関する。
【背景技術】
【０００２】
特許文献１に記載されたまつ毛カーラーが従来から知られているが、この従来から知られているまつ毛カーラーは、円弧状にした成形板と、この成形板に対して相対的に移動可能にした移動体とを備えている。そして、これら成形板と移動体との間にまつ毛を挟んでカールするものである。
【先行技術文献】
【特許文献】
【０００３】
【特許文献１】特開平１１−１７８６２９号公報
【発明の概要】
【発明が解決しようとする課題】
【０００４】
まつ毛カーラーは、その使い方が単純なので、使い方を示唆するような要素を、当該カーラーに設ける必要はないと一般に考えられていた。
しかし、まつ毛カーラーはまつ毛という細部に使用するので手元が狂い易く、実際には、成形板と移動体との間にまつ毛の根元を正確に挟み込むことが難しいのが現実であった。そのために、まつ毛の根元を正確に挟み込めずに、まつ毛の先端に近いところを挟んで巻き上げてしまって、十分にカールできないという問題があった。
【０００５】
また、まつ毛の根元を挟むつもりが、手元が狂ってまぶたを挟んでしまい、まぶたを痛めることもあった。特に、まぶたを挟んでそれを痛める経験をすると、それがトラウマになってしまって、まつ毛カールがますます上手くできなくなるという問題もあった。
【０００６】
また、成形板をまつ毛の根元に正確にあてがって、成形板と移動体でまつ毛の根元を挟めたとしても、その巻き上げ方によって、まつ毛のカールの状態がさまざまになってしまう。例えば、挟んだまつ毛を前方に引っ張りながら巻き上げてしまえば、十分にカールされなくなるなどである。
このように成形板をまつ毛の根元に正確にあてがって、成形板と移動体でまつ毛の根元を挟めたとしても、使用者がいつも満足できる仕上がりになるとは限らないという問題があった。
【０００７】
そして、上記した問題は、１５０人のモニターテストの結果を１００％積み上げ棒グラフで示した図５にも端的に示されている。この図５については後で詳しく説明するが、上段の棒グラフに示した比率が、使い方を示唆する要素が全くない従来のまつ毛カーラーを使用したときのものである。
従来のまつ毛カーラーを用いて「非常に満足」あるいは「満足」と感じている人はたったの４０％しかいない。これは、簡単そうに見えるまつ毛カールも、実際には、多くの人が自身のテクニックに満足していないという現実を示している。
この発明の目的は、ほとんどの人が、自身のまつ毛カールに満足できるまつ毛カーラー及びそのアタッチメントを提供することである。
【課題を解決するための手段】
【０００８】
第１の発明は、円弧状にした成形板と、この成形板に対して相対的に移動可能にした移動体とを備え、これら成形板と移動体との間にまつ毛を挟んでカールするまつ毛カーラーにおいて、鏡に対向させる上記成形板の一方の側面であって、まつ毛の根元に沿わせる際（きわ）の部分に、その際に沿うとともに成形板の幅方向に伸びる視認部を表示したものである。
【０００９】
なお、この発明における視認部は、上記際を認識できるものであれば、その形態を問わない。例えば、連続線や破線はもちろん、成形板を複数の材質で構成し、その材質の色や質感の違いなどによって視認部を表現してもよい。さらには、成形板の上記際に、テープやシールを貼り付けるようにしてもよい。
【００１０】
第２の発明は、成形板の上記一方の側面であって、視認部と対向する側に、その視認部と間隔を保った回動支点を示す目印を表示したものである。
上記第２の発明において、回動支点を示す目印は、視認部と同様に、連続線や破線はもちろん、成形板を複数の材質で構成し、その材質の色や質感の違いなどによって目印を表現してもよいし、テープやシールを貼り付けて目印にしてもよい。
【００１１】
第３の発明は、視認部と回動支点を示す目印とは、それらを成形板の幅方向全長にわたって平行に表示したものである。
【００１２】
第４の発明は、視認部と回動支点を示す上記目印とは異なる色で表示したものである。
上記第４の発明において、異なる色とは、色相、彩度、明度、輝度のいずれかが相違するものも含むものである。
【００１３】
第５の発明は、視認部と回動支点を示す目印とを異なる形態で表示したものである。
上記異なる形態とは、例えば視認部を直線にしたら、目印は例えば小さな模様の連続にするなどで、それらの両者の違いをはっきりと認識できるものであれば、どのような形態差でもよい。
【００１４】
第６の発明は、円弧状にした成形板と、この成形板に対して相対的に移動可能にした移動体とを備え、これら成形板と移動体との間にまつ毛を挟んでカールするまつ毛カーラーに用いるアタッチメントに関する。
そして、上記成形板の少なくとも鏡に対向する面を覆う覆い体を備え、この覆い体には、成形板を覆った状態でまつ毛の根元に沿う際（きわ）に沿うとともに成形板の幅方向に伸びる視認部を表示したものである。
【発明の効果】
【００１５】
第１の発明によれば、鏡に対向させる上記成形板の一方の側面であって、まつ毛の根元に沿わせる際（きわ）の部分に、その際（きわ）に沿った視認部を表示したので、当該カーラーの使用者は、鏡を見ながら視認部の位置を確認しやすくなり、視認部をまつ毛の根元に正確にあてがうことができる。
【００１６】
そして、視認部をまつ毛の根元にあてがった状態で、移動体を移動させれば、これら成形板と移動体とで、まつ毛の根元を確実に挟むことができるとともに、その状態で成形板と移動体とを巻き上げれば、まつ毛を根元からきれいにカールできる。
また、上記のように鏡を見ながら視認部の位置を確認しやすくなり、視認部をまつ毛の根元に正確にあてがうことができるので、従来のように手元が狂ってまぶたを挟んだりしなくなる。
【００１７】
第２の発明によれば、視認部と対向する位置に、成形板の回動支点を示す目印を表示したので、当該カーラーの使用者は、まつ毛の根元を挟んだ成形板を、上記目印を意識しながら回動することができる。このように目印を意識して回動しようとすれば、当然のように目印の部分を、少し強めにまぶたに押し付けることになるので、成形板の回動支点がしっかり固定された状態で成形板を回動し、まつ毛をその根元からカールすることができる。
【００１８】
上記のように成形板の回動支点を固定してまつ毛をその根元からカールしたら、
上記回動支点を固定したまま、成形板と移動板とによるはさみ力を一度開放し、今度はまつ毛の根元から少し先を成形板と移動板とで挟むとともに、上記のように固定している回動支点を中心に再び成形板を回動する。このようにしてまつ毛の根元よりも先を順次カールするとともに、必要に応じてまつ毛の根元からのカールを繰り返す。
これによってまつ毛をその根元から先端にいたるまで理想的な円弧を描いてカールすることができる。
【００１９】
また、第１の発明と相まって、このまつ毛カーラーの使い方を教えることも簡単になる。例えば、視認部をまつ毛の根元にあてがって、成形板と移動体との間にまつ毛を挟み、その状態で回動支点を示す目印の部分を少しまぶたに押し付けて、その目印を中心に回動させれば、まつ毛のカールを簡単にできることを、口頭でも教えることができる。
【００２０】
第３の発明によれば、視認部と回動支点を示す目印とを、それらを成形板の幅方向全長にわたって平行に表示したので、成形板の視認部と回動支点を示す目印とが、鏡にはっきりと線として写し出され、当該カーラーの使用者が、手元を狂わせたりしなくなる。
【００２１】
第４及び第５の発明によれば、視認部と回動支点を示す目印とを、はっきりと区別でき、その分、操作がやりやすくなる。
第６の発明によれば、既存のまつ毛カーラーに、この発明のアタッチメントを被せれば、第１の発明と同様の効果を発揮させることができる。
【図面の簡単な説明】
【００２２】
【図１】第１実施形態を示す側面図である。
【図２】第１実施形態の要部の正面図である。
【図３】まつ毛の根元のラインを示した写真である。
【図４】本発明の効果を比較対照するためのモニターテスト対象者の内訳を示した表である。
【図５】本発明と従来のまつ毛カーラーとに対する使用者の満足度を示す１００％積み上げ棒グラフである。
【図６】まつ毛のカールの状況に対する視感評価結果を示す円グラフで、図６（ａ）はまつ毛の根元からカールされたかどうかの視感評価結果の円グラフ、図６（ｂ）はまつげのカールの状態に対する視感評価結果の円グラである。
【図７】本発明の使い易さを示す１００％積み上げ棒グラフである。
【図８】本発明の使い方を指導する立場の人の使い易さを示す円グラフである。
【図９】第２実施形態の要部の斜視図である。
【発明を実施するための形態】
【００２３】
図１，２に示した第１実施形態は、第１アーム１の先端に２本の支持棒２，２を設けるとともに、これら支持棒２，２間に成形板３を固定している。この成形板３は、使用時に鏡に対向させる面を凸面とし、まぶたに対応させる面を凹面とする湾曲形状にしている。
また、上記支持棒２，２には移動体４を設けるとともに、この移動体４は支持棒２，２に対して移動可能に設けている。
【００２４】
上記移動体４には可動連結軸５の一端を固定するとともに、この可動連結軸５の他端は、第１アーム１に対して回動自在にした第２アーム６の先端に連結している。
そして、上記第１，２アーム１，６を、ハサミのように開閉すると、移動体４が支持棒２，２に沿って移動して成形板３に接近し、それらが接触した状態でまつ毛を挟むようにする。
【００２５】
さらに、上記成形板の凸面側であって、まつ毛の根元に沿わせる際（きわ）の部分に視認部７を表示しているが、この視認部７は、成形板３の幅方向全長にわたって表示した朱色の線からなる。
また、成形板３の凸面側であって、上記視認部７と対向する側に、その視認部７と間隔を保った回動支点を示す目印８を表示しているが、この目印８は、成形板３の幅方向全長にわたって表示した青色の線からなる。
【００２６】
上記のようにしたまつ毛カーラーを使用するときには、図３に示したまつ毛の根元を示す仮想線９に、朱色の線で示した視認部７を沿わせる。このときには、鏡に朱色の視認部７がはっきりと写されるので、使用者は鏡に写った視認部７を意識しながらそれを、鏡に写った自らのまつ毛の根元に、正確にあてがうことができる。
【００２７】
上記のように視認部７をまつ毛の根元にあてがったら、第１アーム１に対して第２アーム６を回動して移動体４を移動し、移動体４と成形板３との間にまつ毛を挟む。このときには、成形板３の視認部７に相当する際（きわ）の部分がまつ毛の根元にあてがわれているので、その根元が成形板３と移動体４との間に挟まれることになる。
【００２８】
成形板３と移動体４との間にまつ毛の根元をしっかりと挟んだら、今度は、回動支点を示す目印８を意識しながら、その目印８部分をまぶたに軽く押さえつけながら、まつ毛カーラー全体をまつ毛の巻き上げ方向に回動させる。
上記のように成形板３の回動支点を固定してまつ毛をその根元からカールしたら、上記回動支点を示す目印８を固定したまま、成形板３と移動板４とによるはさみ力を一度開放し、今度はまつ毛の根元から少し先を成形板３と移動板４とで挟むとともに、上記のように固定している回動支点を示す目印８を中心に再び成形板３を回動する。このようにしてまつ毛の根元よりも先を順次カールするとともに、必要に応じてまつ毛の根元からのカールを繰り返す。
これによって、まつ毛は根元から理想的な状態でカールされることになる。
【００２９】
この第１実施形態の最大の特徴は、成形板３に視認部７と目印８とを表示したことであるが、その開発の背景には次のようなことがあった。
本発明者らは、近年、まつ毛ブームによりマスカラの使用者が急増している点に着目し、モニターを対象にして、まつ毛の仕上がり具合の満足度について調査をした。そのときのモニターテストの対象者は、図４に示すとおりである。
【００３０】
この図４からも明らかなように、２０代から６０代の女性を対象にするとともに、マスカラに関心が強いかどうかに応じて層分けをした。マスカラに対する関心度を層分けの基準にしたのは、マスカラをする人はアイメイクに関心が高く、アイメイクに関心が高い人ほどまつ毛カールにも関心度が高いと考えたからである。
なお、６０代の女性の数が少ないのは、年齢を重ねるにしたがって、アイメイクに対する関心度が薄くなるからである。
【００３１】
そして、図４に示すモニターテスト対象者からランダムに１５０人を抽出して、まつ毛カールの満足度を調査したところ、図５の従来の表示から分かるように、非常に満足あるいは満足と答えた人は４０％しかいなかった。
【００３２】
そこで、原因を追究したところ、特に注目すべきだったのは、成形板３の際を、鏡を見ながらまつ毛の根元にあてがおうとしても、手元が狂ってなかなか正確にあてがえないということであった。
また、中には、まつ毛の根元を正確に挟めたとしても、まつ毛カーラーをどのように巻き上げたらよいかの知識がほとんどなく、極端なケースでは、まつ毛を挟んでから、それを前方に引っ張るようにして巻き上げている人もいた。
【００３３】
このような状況の中で、本発明者らは、いろいろと対策を検討した結果、まつ毛の根元にあてがう成形板３の際（きわ）の部分が、鏡にしっかりと写しだされれば、使用者もその際（きわ）を視認しながらはっきりと意識できるとともに、際が意識できれば、まつ毛の根元にその際をあてがうのはそれほど難しいことではないであろうと考えた。
【００３４】
このような考えの下に、鏡に写る成形板３の凸面側であって、まつ毛の根元に沿わせる際（きわ）の部分に、第１実施形態として示した成形板３の幅方向全長にわたって朱色の視認部７を表示してみた。
また、成形板３の凸面側であって、上記視認部７と対向する側に、第１実施形態として示した成形板３の幅方向全長にわたって表示した青色の線からなる回動支点を示す目印８を表示してみた。
【００３５】
そして、図４に示したモニターテスト対象者からランダムに６６人を抽出し、それらの人に、視認部７はまつ毛の根元に合わせるものであり、目印８は回動支点を示すものであることを伝えて、実際に使ってもらったが、その結果が図５の本願発明として示したもので、９５，５％の人が非常に満足あるいは満足という結果を示した。
【００３６】
また、モニターテスト対象者の中からランダムに５５人を抽出して、視認部７と目印８がない従来のまつ毛カーラーについて、実際にまつ毛の根元からカールができているかどうかを調査したところ、図６（ａ）に示すように、「できていない」が５２，７％であった。
一方、モニターテスト対象者の中から６５人をランダムに抽出して、視認部７と目印８を示した本発明のまつ毛カーラーに関して調査したが、その結果は、「できていない」が１５，４％と激減しており、カールができているかどうかという観点でも驚異的な結果を発揮している。
【００３７】
さらに、カールがどのようにできているかというカールの状態に関しても、図６（ｂ）に示すように同様の調査をしたが、視認部７と目印８がない従来のまつ毛カーラーについは、「カーブ」ができているのは２５．５％に過ぎないが、本発明では「カーブ」ができているのは５３．８％に増えている。
【００３８】
また、カールのやりやすさに関しても、モニターテスト対象者の中からランダムに６６人を抽出して調査したが、その結果、「非常にやりやすい」あるいは「やりやすい」が８９．４％にも及んでいる（図７参照）。
また、まつ毛カーラーは、化粧品販売店における化粧の指導をするいわゆる専門家がお客さまに対して実演することもあるが、模擬的な実演状況の中でも、専門家から「非常にやりやすい」「やりやすい」及び「非常にきれいにできる」「きれいにできる」との感想が得られている（図８（ａ）（ｂ）参照）。
以上の結果は、いずれも驚異的なものであるが、視認部７と回動支点を示す目印８について本発明者らの考えが適切であったことを示している。
【００３９】
なお、上記第１実施形態において、視認部７及び回動支点を示す目印８を、成形板３の幅方向全長に渡って表示したが、使用者がそれらをはっきりと認識できれば、必ずしも全長にわたって表示しなくてもよい。
また、視認部７及び回動支点を示す目印８は、例えば、連続線や破線はもちろん、成形板３を複数の材質で構成し、その材質の色や質感の違いなどによって視認部７や目印８を表現してもよい。さらには、成形板３の際（きわ）に、テープやシールを貼り付けて、それらを視認部７あるいは目印８としてもよい。
【００４０】
さらに、視認部７と回動支点を示す目印８とを色分けしたのは、鏡に写されたときに、それらの違いをはっきりと認識できるようにするためである。したがって、使用者がそれらの違いを認識できれば、どのような色分けであってもよい。また、成形板３を複数の材質で構成し、それら材質の色の差を利用してもよい。
さらに、視認部７と目印８との違いを認識できればよいという意味では、それらの形態を相違させるようにしてもよい。例えば、視認部７を直線にしたら、目印８は小さな模様の連続にするなどで、それらの両者の違いをはっきりと認識できるものであれば、どのような形態差でもよい。
【００４１】
また、上記第１実施形態では、成形板３に視認部７と目印８との両方を表示したが、この発明においては、視認部７は絶対的な必須事項であり、回動支点を示す目印８はよりよい効果を得るための事項であって、絶対的な必須事項とはいえない。なぜなら、実験結果で、多くの人が成形板３の際をまつ毛の根元にあてがえないことが原因で、上手くカールができないことが判明しているからである。
【００４２】
図９に示した第２実施形態は、成形板３をキャップ上の覆い体１０で覆うようにしたのもので、この覆い体１０には視認部７と回動支点を示す目印８とを表示している。
そして、この第２実施形態は、上記のように覆い体１０を用いた点が第１実施形態と異なるが、この覆い体１０に表示した視認部７と目印８とは、第１実施形態と同じである。
【符号の説明】
【００４３】
３      成形板
４      移動体
７      視認部
８      回動支点を示す目印
１０      覆い体
【図１】
0005203484.tif 000002
【図２】
0005203484.tif 000003
【図４】
0005203484.tif 000004
【図５】
0005203484.tif 000005
【図６】
0005203484.tif 000006
【図７】
0005203484.tif 000007
【図８】
0005203484.tif 000008
【図９】
0005203484.tif 000009
【図３】
0005203484.tif 000010